(57)【特許請求の範囲】
【請求項１】
低級アルコールを含まない水溶性有機溶剤および／又は油溶性有機溶剤を単独または混合物とし、合計で０．０００１〜０．１質量％を含有し、水を９９．０質量％以上含有する洗浄剤を布帛に含浸させてなることを特徴とする洗浄物。
【請求項２】
水溶性有機溶剤がポリオール類および／又は水溶性グリコールエーテル類から、油溶性有機溶剤が石油系有機溶剤類および／又は油溶性グリコールエーテル類からそれぞれ選ばれることを特徴とする請求項１記載の洗浄物。
【請求項３】
上記洗浄剤が１種または２種以上の界面活性剤を０．００１〜０．１質量％含有することを特徴とする請求項１または２記載の洗浄物。
【請求項４】
界面活性剤がノニオン界面活性剤であることを特徴とする請求項３記載の洗浄物。
【請求項５】
洗浄剤が一種また２種以上の防腐剤を０．０００１〜０．１質量％含有することを特徴とする請求項１から４のいずれかに記載の洗浄物。
【発明の詳細な説明】
【０００１】
【発明の属する技術分野】
本発明は、ＣＤ盤、ＭＤ盤、光ディスク等の光情報記録媒体、これらの記録あるいは読み出し装置を含む光情報装置におけるレンズ、拡大鏡レンズ、眼鏡レンズ、カメラレンズ等光学機器のレンズ、その他光学インターフェイス、光学機器の鏡面部や一般の化粧鏡等の光沢表面、パソコンの画面、液晶画面、プラスチック製品、建築物の窓ガラスや車両の窓ガラス等のガラス等の透明性のある表面の洗浄に適した洗浄物に関する。
【０００２】
【従来の技術】
これまでレンズ、眼鏡レンズ、カメラレンズ、パソコンの画面、液晶画面、プラスチック製品、窓ガラス、ガラス等の透明性のある表面やＣＤ盤、ＭＤ盤、光ディスク、鏡等の光沢表面を清浄にする目的で数々の洗浄剤が市販されている。これらのものは透明性が高い又は表面に光沢性があるため油溶性、水溶性の汚れが付着すると目立つ他、使用に支障が生じる原因となる。
【０００３】
これを回避するため、種々の洗浄剤が市販されているが、液状タイプ、フォームタイプのものであると使用時に洗浄剤の他に拭き取るティッシュペーパー等の布帛が必ず必要になってくるため簡便性に欠ける。また、洗浄成分である有機溶剤や界面活性剤により汚れを洗浄すると、余剰の洗浄成分が表面に残って拭き残りとなり、これが使用時に支障が出る原因となっている。拭き残りの問題を回避するため、洗浄成分にエタノール、イソプロピルアルコール等の分子量が小さく、揮発性の高い低級アルコールを配合した製品も販売されているが、眼鏡等のレンズは表面がコート処理されており、低級アルコールはこのコート処理剤を剥離させてしまうという問題がある。さらに、洗浄剤が含有されていない、乾燥した布帛で拭くタイプの洗浄物もあるが、汚れの程度が軽度の場合は有効であっても、水溶性、油溶性の目立つ汚れがあるとこのような洗浄物で拭くだけでは充分な洗浄効果が得られないことと、乾燥しているため、清掃時に被洗物との摩擦が大きくなり、被洗物表面を傷をつける恐れがあるという問題がある。
【０００４】
【発明が解決しようとする課題】
本発明は、上記従来の技術の欠点に鑑み、ＣＤ盤、ＭＤ盤、光ディスク等の光情報記録媒体、これらの記録あるいは読み出し装置を含む光情報装置におけるレンズ、拡大鏡レンズ、眼鏡レンズ、カメラレンズ等光学機器のレンズ、その他光学インターフェイス、光学機器の鏡面部や一般の化粧鏡等の光沢表面、パソコンの画面、液晶画面、プラスチック製品、建築物の窓ガラスや車両の窓ガラス等のガラス等の透明性のある表面の汚れを拭き残りなく清浄にすることが出来、また洗浄剤成分により眼鏡等レンズにコート処理されているコート剤の剥離の問題を回避し、洗浄剤と布帛が一体となっているため、簡便に使用することのできる洗浄物を提供することを課題とする。
【０００５】
【課題を解決するための手段】
本発明者は、上記課題を解決するために鋭意研究を重ねた結果、低級アルコールを含まない各種有機溶剤、および／又は界面活性剤を極端に低濃度で含有する洗浄剤を布帛に含浸させて使用する事により、十分な洗浄能力があり、更に拭き残りがなく、また眼鏡等の表面コートを剥離させることがなく、簡便に清浄できる洗浄物を見出し、この知見に基づいて本発明をなすに至った。
【０００６】
【発明の実施の形態】
以下、本願発明について具体的に説明する。
本願発明の洗浄物は主として、ＣＤ盤、ＭＤ盤、光ディスク等の光情報記録媒体、これらの記録あるいは読み出し装置を含む光情報装置におけるレンズ、拡大鏡レンズ、眼鏡レンズ、カメラレンズ、等光学機器のレンズ、その他光学インターフェイス、光学機器の鏡面部や一般の化粧鏡等の光沢表面、パソコンの画面、液晶画面、プラスチック製品、建築物の窓ガラスや車両の窓ガラス等のガラス等の透明性のある表面を拭き残りなく清浄にするために用いることが出来る。
さらに、本発明の洗浄物は布帛を用いているため、簡便に使用することができる。
【０００７】
本発明の洗浄剤に含まれる有機溶剤としては、水溶性有機溶剤および／又は油溶性有機溶剤を使用することができる。水溶性有機溶剤としてはコート処理された洗浄表面に対してコート剤の剥離を促進することが少なく、水に対して常温で任意に溶解することのできるものである。例として、プルピレングリコール、グリセリン等のポリオール類、エチレングリコールモノプロピルエーテル、エチレングリコールモノブチルエーテル、ジエチレングリコールモノブチルエーテル、ジプロピレングリコールモノメチルエーテル等の水溶性グリコールエーテル類、モノエタノールアミン、ジエタノールアミン、トリエタノールアミン等のアルカノールアミン類、イミダゾール、ピリジン等の含窒素複素環式アミンおよびその誘導体等を挙げることが出来る。
【０００８】
油溶性有機溶剤の例としては、例えばパラフィン系炭化水素、ナフテン系炭化水素、オレフィン系炭化水素、芳香族炭化水素等の石油系有機溶剤類、エチレングリコールモノベンジルエーテル、ジエチレングリコールジブチルエーテル、プロピレングリコールモノブチルエーテル、ジプロピレングリコールジメチルエーテル、プロピレングリコールモノフェニルエーテル等の油溶性グリコールエーテル類、大豆油などの脂肪酸トリグリセリド類等を挙げることが出来る。
【０００９】
これら有機溶剤は単独でも２種類以上の混合物としても使用することが出来、更に水溶性有機溶剤と油溶性有機溶剤を混合して使用することも出来る。有機溶剤の使用量としては洗浄剤の０．０００１〜０．１質量％が好ましく、０．００５〜０．０５質量％で使用することが特に好ましい。また水溶性有機溶剤と油溶性有機溶剤は水溶性、油溶性の両方の汚れに対応するために混合して使用することが好ましい。水溶性有機溶剤と油溶性有機溶剤を混合して使用する場合は、質量比で９／１〜１／９が好ましく、８／２〜２／８で使用するのが特に好ましい。有機溶剤量が０．１質量％を超えると拭き残りの原因となり、また０．０００１質量％未満であると汚れ落ちが不充分な場合が生じる。
【００１０】
本発明の洗浄剤に含まれる界面活性剤は洗浄成分としてや被洗物表面への均一の濡れ性向上のために含むことが好ましい。本発明の洗浄剤に含まれる界面活性剤は、単品としても２種類以上の混合物としても使用することが出来る。界面活性剤としてはノニオン系、アニオン系、カチオン系、両性のいずれの界面活性剤であってもよい。
【００１１】
ノニオン界面活性剤としては、例えばポリオキシエチレンアルキルエーテル、ポリオキシエチレン脂肪酸エステル、ポリオキシアルキルフェノールエーテル、ソルビタン脂肪酸エステル、ポリオキシエチレンソルビタン脂肪酸エステル、ショ糖脂肪酸エステル、アルキルジメチルアミンオキシドなどが挙げられる。アニオン界面活性剤としては例えばアルキル硫酸塩、ポリオキシエチレンアルキルエーテル硫酸塩、アルキルベンゼンスルフォン酸塩、脂肪酸塩などが挙げられる。カチオン界面活性剤としては例えば、塩化ステアリルトリメチルアンモニウム、塩化ベンザルコニウム、塩化セチルピリジニウムなどが挙げられる。また両性界面活性剤としてはアルキルベタイン、アルキルジエチルエチレントリアミノ酢酸などが挙げられる。これら界面活性剤の中で洗浄性からノニオン系活性剤を使用することが好ましい。また界面活性剤は単独でも２種類以上の混合物としても使用することができる。界面活性剤の使用量としては洗浄剤の０．００１〜０．１質量％が好ましく、洗浄性と拭き残りを考慮すると０．００５〜０．０５質量％で使用することが特に好ましい。
【００１２】
防腐剤は、その種類によって必要とする使用量に大きな差があるが、その使用量は洗浄剤の０．１質量％以下におさえることが大切である。防腐剤の使用量が０．１質量％を超えると拭き残りの原因となる。従って、使用し得る防腐剤は、単独で使用する場合は少量でも効果の大きい防腐剤を使用したり、複数の防腐剤の併用により使用量を低減する工夫が必要となる。単独でも使用できる防腐剤の例として、メチルイソチアゾリノン、クロロメチルイソチアゾリノン、ベンズイソチアゾリノン、ブロモニトロプロパンジオール等が挙げられる。
【００１３】
本発明の洗浄剤には本発明の目的が阻害されない範囲で必要により、通常洗浄剤に用いられる成分、例えば酸化防止剤、防錆剤、ｐＨ調整剤、シリコーンオイル類、フッ素オイル類、香料などを適宜配合してよい。但し、拭き残りを防ぐために、水以外の配合成分の総量は１質量％以内に押さえることが好ましく、更に好ましくは０．５質量％以内である。
【００１４】
本発明で使用する布帛とは、特に限定されるものではないが、例えばセルロース繊維である綿、綿リンター、パルプ、ビスコース法レーヨン、銅アンモニア法レーヨン及びそれらを改質したもの等を挙げることが出来る。また疎水性繊維とし、例えばポリエチレン、ポリプロピレン、ポリエステル、アクリル、ナイロン繊維等を挙げることが出来、これらの繊維は単体又は混合物として使用することが出来る。また、布帛の目付量は薄すぎても厚すぎても使用しにくいため、１０〜１２０ｇ／ｍ2 で使用することが好ましく、更には１５〜８０ｇ／ｍ2で使用することが好ましい。また布帛の繊維径が１０μｍ以下のものが混紡された極細繊維布帛であると、被洗物表面への接点数が多く、密着性が高いことから洗浄力、拭き残りの少なさの点から好ましい。また布帛の中でも特に不織布を使用することが、寸法や目付量等の製造安定性が高いこと、コストの面で優れることから好ましい。この様な布帛の例として、 綿布、亜麻、Ｃ１０３０、ＧＮ２５２、（旭化成（株）社製不織布）、 ＣＯ４０Ｎ／Ａ０２（ユニチカ（株）社製不織布）、 ＲＰＥ５０７０Ａ（オーミケンシ（株）社製不織布）、ＡＰ−５０（デュポン（株）製不織布）が挙げられる。
【００１５】
本発明の洗浄物は、洗浄剤を布帛に含浸して製造される。洗浄物中の洗浄剤が布帛質量に対して少なすぎると洗浄効果を発揮するほど被洗物表面に洗浄剤を付与することが出来ず、また汚れ分を除去するのに必要な量以上では、拭き残りの原因となることや過剰のためコスト高になるので、洗浄物中の洗浄剤の総量が、布帛質量に対して５０〜３００質量％含浸されていることが好ましく、８０〜２００質量％含浸されていることが特に好ましい。
【００１６】
本発明の洗浄物は透明性のある表面や光沢表面以外にも、表面を清浄にすることが出来るため、家具や台所周辺、自動車外部および内部、自転車、装飾品、テキスタイル、タイル等の洗浄物として使用することが出来る。
【００１７】
以下に、本発明の実施例を詳細に説明する、また例中の「％」は「質量％」を示す。また、実施例中で行う洗浄物の評価方法は以下の通りである。
＜汚れ落ち評価方法＞
ＯＡフィルターアイセフティ  ＥＶＦ−Ｃ１（コクヨ（株）社製）に人工汚垢を薄く一面に広げる。表面を乾燥させた後、表面の浮いている汚れを乾いた布で拭き取り、ＯＡフィルターに汚れを定着させる。洗浄物で汚れを拭き取り、汚れ落ちの程度を目視にて判定する。評価基準は以下の通りである。
○  被洗物上に人工汚垢が事実上残らない。
△  被洗物上に人工汚垢が微かに残る。
×  被洗物上の人工汚垢をふき取れずに、被洗物上に人工汚垢が残る。
【００１８】
＜拭き残り評価方法＞
洗浄物でメガネのレンズを拭き、目視にて拭き残りを観察する。評価基準は以下の通りである。
○  レンズを透かしてみても拭き残り、レンズ上に拭き残りが観察されない。
△  レンズを透かしてみると、支障がない程度であるが、拭き残り微かに観察される。
×  レンズを透かしてみると、支障がある程、拭き残りが観察される。
【００１９】
【実施例１〜３】
表１に示す配合で洗浄剤を配合し、アクリル極細繊維不織布（商品名：シャレリアＣ１０３０  目付３０ｇ／ｍ2 旭化成（株）社製）に不織布の質量当たり洗浄剤が１５０％になるように含浸して本発明の洗浄物を得た。得られた洗浄物を用いて汚れ落ち評価試験と拭き残り評価試験を評価方法に従い行った。評価結果を表１に示す。
【００２０】
【実施例４〜６】
表１及び表２に示す配合で洗浄剤を配合し、コットン系極細繊維不織布（商品名：エスコットファインＣＯ４０Ｎ／Ａ０２  目付４０ｇ／ｍ2 ユニチカ（株）社製）に不織布の質量当たり洗浄剤が１５０％になるように含浸して本発明の洗浄物を得た。得られた洗浄物を用いて汚れ落ち評価試験と拭き残り評価試験を評価方法に従い行った。評価結果を表１及び表２に示す。
【００２１】
【比較例１〜３】
表２に示す配合で洗浄剤を配合し、アクリル極細繊維不織布（商品名：シャレリアＣ１０３０  目付３０ｇ／ｍ2 旭化成（株）社製）に不織布の質量当たり洗浄剤が１５０％になるように含浸して比較例の洗浄物を得た。得られた洗浄物を用いて汚れ落ち評価試験と拭き残り評価試験を評価方法に従い行った。評価結果を表２に示す。
【００２２】
【表１】
0004033381.tif 000002
【００２３】
【表２】
0004033381.tif 000003
【００２４】
【発明の効果】
本発明の、洗浄剤と布帛を含んだ洗浄物により、簡便にレンズ、眼鏡レンズ、カメラレンズ、パソコンの画面、液晶画面、プラスチック製品、建築物の窓ガラスや車両の窓ガラス等のガラス等の透明性のある表面やＣＤ盤、ＭＤ盤、光ディスク、鏡等の光沢表面を拭き残りなく清浄にすることが出来る。